(57)【要約】  【課題】陳列品を載置した際に該陳列品が自重により滑落するように傾斜している陳列品支持面を具備する陳列品支持装置において、より幅広い使用態様に容易にできるようにする。  【解決手段】陳列品を載置した際に該陳列品が自重により滑落するように傾斜している陳列品支持面４ａを具備する陳列品支持装置たる棚板４の前記陳列品支持面４ａ上に、印刷による滑り促進手段５を設けた。  【選択図】図４
2007075152.tif 000002
【特許請求の範囲】
【請求項１】
陳列品を載置した際に該陳列品が自重により滑落するように傾斜している陳列品支持面を具備するものであって、前記陳列品支持面上に印刷による滑り促進手段を設けたことを特徴とする陳列品支持装置。
【請求項２】
前記滑り促進手段が、陳列品の滑落の際に該陳列品を滑りやすくするためのインクをストライプ状に印刷して設けたものであることを特徴とする請求項１記載の陳列品支持装置。
【請求項３】
前記滑り促進手段が、陳列品の滑落の際に該陳列品を滑りやすくするためのインクをドット状に印刷して設けたものであることを特徴とする請求項１記載の陳列品支持装置。
【請求項４】
前記滑り促進手段の印刷パターンを、陳列品支持面上の位置により異ならせていることを特徴とする請求項１、２又は３記載の陳列品支持装置。
【請求項５】
前記滑り促進手段を、シルク印刷により設けていることを特徴とする請求項１、２、３又は４記載の陳列品支持装置。
【請求項６】
陳列品支持装置の陳列品支持面に添着されるシート本体と、シート本体の表面に印刷により設けた滑り促進手段と具備することを特徴とするシート。
【発明の詳細な説明】
【技術分野】
【０００１】
本発明は、商品等の陳列に用いられ、陳列品を載置した際に該陳列品が自重により滑落するように傾斜している陳列品支持面を具備する陳列品支持装置、及び陳列品支持面に添着させるシートに関する。
【背景技術】
【０００２】
近年、商品等陳列品の陳列に用いられる陳列品支持装置において、陳列品支持面に載置した陳列品が前方に向かい移動可能な陳列品支持面を有するものが種々考えられている。
【０００３】
このような陳列品支持装置の一例として、陳列品支持面を前傾させ、陳列品支持面に載置した陳列品が自重により前下方に向かい滑落可能にしているトレーが考えられている。（例えば、特許文献１を参照。）
【特許文献１】特開平９−１００７９号公報
【発明の開示】
【発明が解決しようとする課題】
【０００４】
しかして、特許文献１記載のものでは、トレーの陳列品支持面に、縦方向に貫いたレールを設け、陳列品の陳列品支持面との摩擦を減少させて陳列品を滑落させやすくしている。
【０００５】
一方、このように陳列品支持面に載置した陳列品を自重により滑落可能にしている陳列品支持装置において、陳列品ごとに滑落速度を変化させる要望や、陳列品の滑落速度を陳列品支持面内の位置により変化させる要望等が存在する。
【０００６】
ところが、特許文献１記載のような構成では、所望の滑落速度ごとに、異なるレールを用意する必要があり、これに対応してそれぞれ異なる金型を用意する等、多様な要望に対応するために大きな手間や工数の増大を必要とする。すなわち、多様な要望に柔軟に対応しにくいという不具合が存在する。
【０００７】
本発明は、このような課題を解決し、陳列品支持面に載置した陳列品を滑落可能にしている陳列品支持装置において、多様な要望に応じて多様な設計を容易に行いうるようにすべく構成するものである。
【課題を解決するための手段】
【０００８】
すなわち本発明に係る陳列品支持装置は、陳列品を載置した際に該陳列品が自重により前下方に向かい滑落可能となるような傾斜を有する陳列品支持面を具備するものであって、前記陳列品支持面上に印刷による滑り促進手段を設けたことを特徴とする。
【０００９】
このようなものであれば、前記陳列品支持面上に印刷による滑り促進手段を設けることにより陳列物の滑落をスムーズに行うようにしつつ、印刷パターンを異ならせることにより摩擦係数の異なる滑り促進手段を用意できる。従って、商品の滑落速度の変更や、商品の滑落速度を陳列品支持面内の位置により異ならせる等の多様な要望に、印刷パターンを異ならせることのみにより大きな手間や工数の増大を必要とせず柔軟に対応することができる。
【００１０】
前記滑り促進手段の一例として、陳列品の滑落の際に該陳列品を滑りやすくするためのインクをストライプ状に印刷したものが挙げられる。このように滑り促進手段を形成したものであれば、滑り促進手段がスライド方向に連続しているので、商品の滑落による移動をスムーズに行わせることができる。
【００１１】
前記滑り促進手段の他の一例として、陳列品の滑落の際に該陳列品を滑りやすくするためのインクをドット状に印刷したものが挙げられる。このように滑り促進手段を形成したものであれば、ドットの密度やドットの大きさを変更することにより、種々の異なる摩擦係数を有する陳列品支持面を容易に形成することができる。
【００１２】
商品の滑落速度を陳列品支持面内の位置により異ならせる要望に対応するための具体的な構成として、前記滑り促進手段の印刷パターンを、陳列品支持面上の位置により異ならせているものが挙げられる。このようなものであれば、例えば陳列品を手に取る客に近づくに従い滑り促進手段の密度を小さくして、客から遠い側では陳列品が速く滑落するようにし、客に近い側では陳列品がゆっくり滑落するようにする態様に対応する等、より多様な実施の態様に対応することができる。
【００１３】
前記滑り促進手段を前記陳列品支持面上により効果的に配置するための態様として、前記滑り促進手段をシルク印刷により形成しているものが挙げられる。前記滑り促進手段をシルク印刷により形成すれば、前記滑り促進手段を印刷により形成するためのインクを厚く付着させることができるからである。
【００１４】
さらに、陳列品支持装置の陳列品支持面に添着されるシート本体と、シート本体の表面に印刷により設けた滑り促進手段と具備することを特徴とするシートを用いれば、従来の店舗什器に用いられる陳列品支持装置にこのようなシートを添着することにより、従来の店舗什器に用いられる陳列品支持装置においても、陳列品をよりスムーズに滑落可能にしつつ、陳列品の滑落速度の変更や、陳列品の滑落速度を陳列品支持面内の位置により異ならせる要望等の多様な要望に、印刷パターンを異ならせることのみにより大きな手間や工数の増大を必要とせず柔軟に対応することができる。
【発明の効果】
【００１５】
本発明に係る陳列品支持装置の構造を採用すれば、陳列品支持面上に印刷による滑り促進手段を設けているので、陳列物の滑落をスムーズに行うようにしつつ、印刷パターンを異ならせることにより摩擦係数の異なる滑り促進手段を用意できる。従って、陳列品の滑落速度の変更や、商品の滑落速度を陳列品支持面内の位置により異ならせる要望等に、金型を設ける場合や、レールを後から陳列品支持面内に取り付ける態様等と比較して、印刷パターンを異ならせることのみにより、大きな手間や工数の増大を必要とせず柔軟に対応することができる。
【発明を実施するための最良の形態】
【００１６】
以下、本発明の一実施形態を、図面を参照して説明する。
【００１７】
図１及び図２には、本実施形態に係る店舗什器１を示している。この店舗什器１は、店舗什器本体２と、この店舗什器本体２にブラケット３を介して支持させた陳列品支持装置たる棚板４とを具備する。ここで、前記図１はこの店舗什器１の全体斜視図である。また、前記図２はこの店舗什器１の側面の要部を拡大して示した図である。なお、前記図２において、店舗什器本体２は想像線により示している。
【００１８】
前記店舗什器本体２は、前記図１に示すように、店舗用陳列棚として従来周知のもの、例えば特開平９−１５４６８３号公報記載のものと同様の構成を有する。すなわち、ベース２１と、ベース２１の後端縁から起立させて間欠的に設けた支柱２２と、支柱２２、２２間に架設させてなるパネル２３とを具備する。前記支柱２２には、前記ブラケット３を高さ位置を変更可能に取り付け可能にすべく、ブラケット取付孔２２ａを上下方向に離間させて複数設けている。
【００１９】
前記ブラケット３は、図２に示すように、側面視前方に向かい高さ寸法が次第に小さくなる三角形状の部材で、前記棚板４の両側縁部を下方から支持する。また、このブラケット３の上縁３ａには、凹部３ｘを設けている。この凹部３ｘは、前記棚板４の後述する係合部４２３と凹凸係合して棚板４の前後動を規制する規制部Ｋを構成している。さらに、前記支柱２２に向かう端縁、すなわち後端縁からは、上方から順に第１〜第３のフック３１〜３３を突出させて設けている。前記第１のフック３１は、後方に向かい延伸する第１の基部３１ａと、この第１の基部３１ａの突出端から下方に向かい延伸しブラケット取付孔２２ａに係合可能な第１の後フック爪３１ｂと、前記第１の基部３１ａの中間部から下方に向かい延伸しブラケット取付孔２２ａに係合可能な第１の前フック爪３１ｃとを具備する。前記第２のフック５２は、後方に向かい延伸する第２の基部３２ａと、この第２の基部３２ａの突出端から下方に向かい延伸しブラケット取付孔２２ａに係合可能な第２のフック爪３２ｂとを具備する。前記第３のフック３３は、後方に向かい延伸する第３の基部３３ａと、この第３の基部３３ａの突出端から下方に向かい延伸しブラケット取付孔２２ａに係合可能な第３の後フック爪３３ｂと、前記第３の基部３３ａの中間部から下方に向かい延伸しブラケット取付孔２２ａに係合可能な第３の前フック爪３３ｃとを具備する。そして、このブラケット３は、上縁３ａが水平である水平姿勢、又は上縁３ａが前下方に向かい傾斜する傾斜姿勢のいずれかの姿勢で什器本体２に支持させることができる。前記水平姿勢は、前記第１の前フック爪３１ｃ、前記第２のフック爪３２ｂ、及び前記第３の後フック爪３３ｂをそれぞれ前記ブラケット取付孔２２ａに係合させた姿勢である。一方、前記傾斜姿勢は、前記第１の後フック爪３１ｂ、前記第２のフック爪３２ｂ、及び前記第３の前フック爪３３ｃをそれぞれ前記ブラケット取付孔２２ａに係合させた姿勢である。この傾斜姿勢でブラケット３を什器本体２に支持させた状態で、ブラケット３により前記棚板４を支持させることにより、棚板４の陳列品支持面４ａ上に陳列品Ｇを載置した際に、該陳列品Ｇが自重により滑落可能となるようにしている。なお、前記図２は、傾斜姿勢でブラケット３を什器本体２に支持させ、棚板４を該ブラケット３に支持させた状態を示す側面図である。また、この図２では、棚板４の一部を破断して示している。
【００２０】
前記棚板４は、前記図２、及び平面図である図３に示すように、棚板本体４１と、この棚板本体４１の両側縁に接合して設けた取付部４２とを具備する。前記棚板本体４１は、金属製で板状をなし、その上面を陳列品Ｇを載置可能な陳列品支持面４ａとしている。また、この棚板本体４１の前縁部には、幅方向に延伸する溝４ｍを設けている。この溝４ｍには、陳列品支持面４ａに載置した陳列品Ｇが自重により滑落する際に該陳列品Ｇの棚板４からの落下を防ぐストッパＳを装着している。（図３においては、ストッパＳは略して示している。）一方、前記取付部４２は、棚板本体４１の両側縁の裏面にスポット溶接等により接合した水平面部４２１と、この水平面部４２１の一側縁から垂下して設けた垂下部４２２とを有する。前記垂下部４２２は、前記ブラケット３の外側に配するようにしている。さらに、水平面部４２１には、前記ブラケット３の凹部３ｘに対応する位置に、この凹部３ｘに係合可能な係合部４２３を切り起こして設けている。前述したように、前記係合部４２３とブラケット３の凹部３ｘとを係合させることにより、この棚板４の前後動及び傾斜姿勢にあるブラケット３にこの棚板４を支持させた際の棚板４の脱落を規制する規制部Ｋを構成するようにしている。そして、前記ブラケット３を前記傾斜姿勢で什器本体２に支持させ、このようなブラケット３に棚板４の両側縁を支持させた状態で、このような棚板４の陳列品支持面４ａ上に陳列品Ｇを載置すると、陳列品Ｇは前下方に向けて滑落する。
【００２１】
しかして本実施形態では、図３及び図４に示すように、前記陳列品支持面４ａ上に、印刷による滑り促進手段５を設けている。ここで、前記図４は前記図３におけるｘ−ｘ断面を拡大して示した図である。
【００２２】
具体的には、前記滑り促進手段５は、前記陳列品支持面４ａ上に陳列品Ｇの滑落方向、すなわち奥行き方向に延伸するストライプ状にシルク印刷して設けている。また、前記陳列品支持面４ａ上に陳列品Ｇを載置した際に、陳列品Ｇの底面が前記滑り促進手段５を設けた部分のみに当接するようにしている。さらに詳述すると、この滑り促進手段５は、陳列品Ｇが滑落する際にこの滑り促進手段５を設けた部分から受ける摩擦を、前記滑り促進手段５を設けない場合に前記陳列品支持面４ａから受ける摩擦より小さくできる材質のインクを前記陳列品支持面４ａ上にシルク印刷することにより設けている。そして、前記滑り促進手段５は、所定の幅寸法ｄ１を有し前記陳列品支持面４ａの奥行き寸法略全域に延伸する形状のものを複数個シルク印刷により配置して形成している。滑り促進手段５、５間には、所定の幅寸法ｄ２の隙間を設定している。前記滑り促進手段５の幅寸法ｄ１、及び滑り促進手段５、５間の隙間の幅寸法ｄ２は、所望の滑落速度に応じて種々用意している。その一例として、滑り促進手段５の幅寸法ｄ１が０．４ｍｍ、滑り促進手段５、５間の隙間の幅寸法ｄ２が０．６ｍｍのものが挙げられる。さらに、前記滑り促進手段５は、前記陳列品支持面４ａの幅寸法略全域にわたって配置している。なお、滑り促進手段５の形成は、前記陳列品支持面４ａ全体にわたって上述したような材質のインクを印刷してから、このような材質のインクを改めて上述したストライプ状に印刷して行うようにしてもよい。
【００２３】
すなわち、このような滑り促進手段５を設けた棚板４の陳列品支持面４ａ上に陳列品Ｇを載置すると、陳列品Ｇは、その底面が前記滑り促進手段５を設けた部分のみに当接した状態で前下方に向けて滑落する。その際、上述したように、陳列品Ｇが滑落する際にこの滑り促進手段５を設けた部分から受ける摩擦を、前記滑り促進手段５を設けない場合に前記陳列品支持面４ａから受ける摩擦より小さくできる材質のインクを前記陳列品支持面４ａ上にシルク印刷することにより設けているので、物品Ｇは前記滑り促進手段５を設けない場合と比較してスムーズに滑落する。そして、所望の滑落速度に対応した陳列品Ｇの底面積に対する滑り促進手段５に当接する部分の割合を得られるようにすべく、この滑り促進手段５の印刷パターンを変更することにより、前記滑り促進手段５の幅寸法ｄ１及び滑り促進手段５、５間の隙間の幅寸法ｄ２はを種々に変更したものを用意するようにしている。
【００２４】
本実施形態に係る棚板４は、以上に述べたように、陳列品Ｇを載置した際に該陳列品Ｇが自重により前下方に向かい滑落可能となるような傾斜を有する陳列品支持面４ａを具備し、この陳列品支持面４ａ上に印刷による滑り促進手段５を設けている。従って、滑り促進手段５を設ける際の印刷パターンを変更することにより、陳列品Ｇの底面積に対する滑り促進手段５に当接する部分の割合を、所望の滑落速度が得られるような値に設定することができる。すなわち、同一の構造を有する棚板本体４１を有する棚板４を複数用意し、棚板４の陳列品支持面４ａに設けた滑り促進手段５を設ける際の印刷パターンをそれぞれ変化させ、陳列品Ｇが滑落する際の摩擦係数を陳列品支持面４ａごとに変化させることができる。従って、滑落速度を変更させる要望に、特許文献１記載のような構成のように金型をそれぞれ用意する必要がなく、印刷パターンの変更のみにより柔軟に対応することができる。
【００２５】
また、陳列品Ｇの滑落の際に該陳列品Ｇを滑りやすくするためのインクを陳列品Ｇの滑落方向に延伸するストライプ状に印刷して滑り促進手段５を設けているので、陳列品Ｇの滑落による移動をスムーズに行わせることができる。
【００２６】
さらに、前記滑り促進手段５をシルク印刷により形成しているので、前記滑り促進手段５を印刷により前記陳列品支持面４ａ上に設けるためのインクを厚く付着させることができる。すなわち、前記滑り促進手段５の表面を前記陳列品支持面４ａから離間させて、この滑り促進手段５を設けることによる効果をより高めることができる。
【００２７】
なお、本発明は以上に述べた実施の形態に限られない。
【００２８】
例えば、図５に示すように、陳列品Ｇの滑落の際に該陳列品Ｇを滑りやすくするためのインクを上述した実施形態に係る棚板４の陳列品支持面４ａ上にドット状にシルク印刷し、滑り促進手段６を形成してもよい。
【００２９】
また、前記滑り促進手段５、６の印刷パターンを、陳列品支持面４ａ上の位置により異ならせてもよい。例えば、上述した実施形態において、図６に示すように、上述した実施形態に係る棚板４の陳列品支持面４ａの前半部の滑り促進手段５間の距離を後半部と比較して短くしてもよい。このように構成すれば、陳列品支持面４ａの奥行き寸法が大きい場合に、陳列品支持面４ａの奥行き方向中央まで陳列品Ｇを速く滑落させ、そこから前方では陳列品Ｇが速く滑落しすぎて陳列品Ｇを手に取った客が驚く等の不具合を防ぐべく陳列品Ｇの滑落速度を落とす態様に対応できる。また、前記滑り促進手段６を上述した実施形態に係る棚板４の陳列品支持面４ａ上にドット状にシルク印刷して設ける態様において、図７に示すように、陳列品支持面４ａの前半部の前記滑り促進手段６の密度を後半部より高くしても、これと同様の効果が得られる。さらに、上述した滑り促進手段５をストライプ状に配置する態様において陳列品支持面４ａの前方に向かうに従い滑り促進手段５の幅寸法を大きくする態様や、上述した滑り促進手段６をドット状に配置する態様において陳列品支持面４ａの前方に向かうに従い滑り促進手段６の密度を次第に高くする態様を採用すれば、陳列品Ｇの滑落速度を陳列品支持面４ａの前方に向かうに従い滑らかに低下させるようにすることができる。
【００３０】
さらに、陳列品支持装置は、上述したような店舗什器たる商品陳列棚に用いられる棚板に限らず、例えば床面上に商品を陳列する際の床を本発明に係る陳列品支持装置としてもよい。また、冷蔵ケース等、他の店舗什器に用いられる棚板等に本発明に係る陳列品支持装置を採用してもよい。さらに、店舗什器に用いられる棚板上に載置され、陳列品Ｇを収納する図８に示すようなトレー９を本発明に係る陳列品支持装置とし、このトレー９の底板の上面を陳列品支持面９ａとし、この陳列品支持面９ａに、印刷により上述した実施形態における滑り促進手段５と同様の構成を有する滑り促進手段を設けてもよい。なお、このようなトレーに設ける滑り促進手段は、上述した変形例における種々の滑り促進手段と同様のものであってももちろんよい。
【００３１】
加えて、陳列品支持装置が店舗什器本体に支持させてなる棚板である場合、棚板の支持態様は上述した実施形態に限らず、例えば棚板の四隅部を店舗什器本体に支持させるとともに、前側の隅部の高さ位置を後側の隅部の高さ位置よりも下側に設定する構成や、什器構造体に取り付けた状態で棚板の陳列品支持面を前下方に向かい傾斜した状態で支持するブラケットを棚板と一体的に設ける構成等、陳列品支持面を陳列品が自重により滑落するように傾斜している構成であれば、このような陳列品支持面上に印刷による滑り促進手段を設けることにより本発明に係る主要な効果は全て得られる。
【００３２】
そして、図９に示すように、従来の店舗什器に用いられる棚板４０の陳列品支持面４０ａを、滑り促進手段１０２を具備するシート１０により被覆するようにしてもよい。このシート１０は、断面図を図１０に示すように、陳列品支持面に添着されるシート本体１０１と、前記滑り促進手段１０２とを具備する。前記滑り促進手段１０２は、シート本体１０１の表面１０１ａに上述した実施形態に用いた材質のインクを用いて印刷して設けている。このような構成を採用しても、上述した実施の形態における主な効果は全て得られる。
【００３３】
その他、本発明の趣旨を損ねない範囲で種々に変更してよい。
【図面の簡単な説明】
【００３４】
【図１】本発明の一実施形態に係る店舗什器を示す斜視図。
【図２】同実施形態に係る棚板をブラケットに支持させた状態の側面の要部を拡大して示す図。
【図３】同実施形態に係る棚板を示す平面図。
【図４】図３におけるｘ−ｘ断面の拡大図。
【図５】本発明の他の実施態様に係る棚板を示す平面図。
【図６】本発明の他の実施態様に係る棚板を示す平面図。
【図７】本発明の他の実施態様に係る棚板を示す平面図。
【図８】本発明の他の実施態様に係るトレーを示す図。
【図９】本発明の他の実施態様に係るシートを棚板に被覆する態様を示す斜視図。
【図１０】同実施形態に係るシートを示す断面図。
【符号の説明】
【００３５】
４、４０…棚板（陳列物支持手段）
９…トレー（陳列物支持手段）
４ａ、９ａ、４０ａ…陳列物支持面
５、６…滑り促進手段
１０…シート
１０１…シート本体
１０２…滑り促進手段
【図１】
2007075152.tif 000003
【図２】
2007075152.tif 000004
【図３】
2007075152.tif 000005
【図４】
2007075152.tif 000006
【図５】
2007075152.tif 000007
【図６】
2007075152.tif 000008
【図７】
2007075152.tif 000009
【図８】
2007075152.tif 000010
【図９】
2007075152.tif 000011
【図１０】
2007075152.tif 000012